(57)【要約】【課題】  従来のばね丁番と同一機能を持ち、しかもばね特性の設計の自由度がより高い眼鏡フレームが望まれている。【解決手段】  本発明の眼鏡フレームは、モダンの反対側でテンプル２０から分岐する弾性アーム２１と、この弾性アーム２１の末端に設けられたテンプル側丁番こま２３と、鎧部１１の末端部に設けられ、丁番ねじ２８を介してテンプル側丁番こま２３が回動自在に連結されるフロント側丁番こま２４ａ，２４ｂと、鎧部１１に沿って延在し、基端部が鎧部１１に連結されると共にテンプル２０を開いた時にこのテンプル２０の基端２０ａが当接する末端部を有する弾性受け部２５とを具え、弾性アーム２１はその末端とテンプル２０との間隔が拡がるように弾性変形可能であり、弾性受け部２５はその末端部と鎧部１１との間隔が拡がるように弾性変形可能である。【選択図】  図３
2005250064.tif 000002
【特許請求の範囲】
【請求項１】
モダンの反対側でテンプルから分岐する弾性アームと、
この弾性アームの末端に設けられたテンプル側丁番こまと、
鎧部の末端部に設けられ、丁番ねじを介して前記テンプル側丁番こまが回動自在に連結されるフロント側丁番こまと、
鎧部に沿って延在し、基端部が鎧部に連結されると共にテンプルを開いた時にこのテンプルの基端が当接する末端部を有する弾性受け部と
を具え、前記弾性アームはその末端とテンプルとの間隔が拡がるようにテンプルに対して弾性変形可能であり、前記弾性受け部はその末端部と鎧部との間隔が拡がるように鎧部に対して弾性変形可能であることを特徴とする眼鏡フレーム。
【請求項２】
前記弾性受け部の末端部から前記フロント側丁番こまを横切って鎧部の基端側へと延在し、前記弾性アームおよびテンプルの基端部が差し込まれる開口部をさらに具えていることを特徴とする請求項１に記載の眼鏡フレーム。
【請求項３】
前記弾性受け部は、鎧部の末端から内側にほぼ１８０度折り返された状態となって鎧部と一体的に形成されていることを特徴とする請求項１または請求項２に記載の眼鏡フレーム。
【請求項４】
モダンの反対側のテンプルの基端部に設けられたテンプル側丁番こまと、
フロントから分岐して鎧部側に延在する弾性アームと、
この弾性アームの末端に設けられ、丁番ねじを介して前記テンプル側丁番こまが回動自在に連結されるフロント側丁番こまと、
テンプルの基端部に沿って延在し、基端部がテンプルに連結されると共にこのテンプルを開いた時に鎧部の末端が当接する末端部を有する弾性受け部と
を具え、前記弾性アームはその末端と鎧部との間隔が拡がるように鎧部に対して弾性変形可能であり、前記弾性受け部はその末端部とテンプルとの間隔が拡がるようにテンプルに対して弾性変形可能であることを特徴とする眼鏡フレーム。
【請求項５】
前記弾性受け部の末端部から前記テンプル側丁番こまを横切ってテンプルの基端部へと延在し、前記弾性アームおよび鎧部の末端部が差し込まれる開口部をさらに具えていることを特徴とする請求項４に記載の眼鏡フレーム。
【請求項６】
前記弾性受け部は、テンプルの末端から内側にほぼ１８０度折り返された状態となってテンプルと一体的に形成されていることを特徴とする請求項４または請求項５に記載の眼鏡フレーム。
【発明の詳細な説明】
【技術分野】
【０００１】
本発明は、ばね丁番と同様な機能が組み込まれた眼鏡フレームに関する。
【背景技術】
【０００２】
特に眼鏡レンズ自体の重量が重くなる高近視や高遠視を対象とした眼鏡フレームにおいては、眼鏡の着用時におけるずり落ちを防いで快適な掛け心地を得るため、開いた状態のテンプルにこれが閉じるような力を与えるばね丁番が組み込まれたものが知られている。このばね丁番は、テンプル側に一体的に接合される固定ケースと、丁番ねじを介してフロント側丁番に連結されるテンプル側丁番こまが設けられ、固定ケースに対して摺動自在に係合する可動ケースと、これら固定ケースと可動ケースとの間に収容される圧縮コイルばねとを具えている。
【０００３】
これに対し、特許文献１にはＵ字状に折り返した２本のばね性線材にてブラケット智を形成し、この折り返されたテンプル衝合部にテンプルの基端部を衝合させ、テンプルを開いた時にテンプル衝合部を弾性変形させることにより、テンプルが閉まるような反力を発生させるようにした眼鏡フレームが開示されている。
【０００４】
【特許文献１】特開２００１−２９０１１０号公報
【発明の開示】
【発明が解決しようとする課題】
【０００５】
従来のばね丁番は、コイルばねや高精度なあり加工などが必要な固定ケースおよび可動ケースが必要であり、その製造コストや部品コストが嵩む欠点を有する。
【０００６】
一方、特許文献１に開示されたものは、このような従来のばね丁番の欠点を解消するものであるが、ブラケット智をバネ性線材にて形成し、このブラケット智の弾性変形に伴う反力を利用しているため、ばね特性の設計の自由度が低く、大きな反力を発生させるためには、必然的にブラケット智が大きくなってしまう傾向がある。
【０００７】
このため、従来のばね丁番と同一機能を持ち、しかもばね特性の設計の自由度がより高い眼鏡フレームが望まれている。
【課題を解決するための手段】
【０００８】
本発明の第１の形態は、モダンの反対側でテンプルから分岐する弾性アームと、この弾性アームの末端に設けられたテンプル側丁番こまと、鎧部の末端部に設けられ、丁番ねじを介して前記テンプル側丁番こまが回動自在に連結されるフロント側丁番こまと、鎧部に沿って延在し、基端部が鎧部に連結されると共にテンプルを開いた時にこのテンプルの基端が当接する末端部を有する弾性受け部とを具え、前記弾性アームはその末端とテンプルとの間隔が拡がるようにテンプルに対して弾性変形可能であり、前記弾性受け部はその末端部と鎧部との間隔が拡がるように鎧部に対して弾性変形可能であることを特徴とする眼鏡フレームにある。
【０００９】
本発明においては、丁番ねじを中心としてテンプルを強く開くことにより、テンプルの基端が弾性受け部の末端部に押し当たり、弾性アームの末端、つまりテンプル側丁番こまがテンプルの基端部から離れるように弾性変形する一方、弾性受け部の末端も鎧部から離れるように弾性変形し、これらの弾性変形に伴う反力が眼鏡着用時の適度な保持力となる。
【００１０】
本発明の第１の形態による眼鏡フレームにおいて、テンプルに沿って弾性アームを延在させることができる。
【００１１】
弾性受け部の末端部からフロント側丁番こまを横切って鎧部の基端側へと延在し、弾性アームおよびテンプルの基端部が差し込まれる開口部をさらに具えることができる。
【００１２】
弾性受け部を鎧部の末端から内側にほぼ１８０度折り返した状態で鎧部と一体的に形成することができる。
【００１３】
本発明の第２の形態は、モダンの反対側のテンプルの基端部に設けられたテンプル側丁番こまと、フロントから分岐して鎧部側に延在する弾性アームと、この弾性アームの末端に設けられ、丁番ねじを介して前記テンプル側丁番こまが回動自在に連結されるフロント側丁番こまと、テンプルの基端部に沿って延在し、基端部がテンプルに連結されると共にテンプルを開いた時に鎧部の末端が当接する末端部を有する弾性受け部とを具え、前記弾性アームはその末端と鎧部との間隔が拡がるように鎧部に対して弾性変形可能であり、前記弾性受け部はその末端部とテンプルとの間隔が拡がるようにテンプルに対して弾性変形可能であることを特徴とする眼鏡フレームにある。
【００１４】
本発明においては、丁番ねじを中心としてテンプルを強く開くことにより、弾性受け部の末端部が鎧部の末端に押し当たり、弾性受け部の末端がテンプルの基端部から離れるように弾性変形する一方、弾性アームの末端、つまりフロント側丁番こまが鎧部の末端部から離れるように弾性変形し、これらの弾性変形に伴う反力が眼鏡着用時の適度な保持力となる。
【００１５】
本発明の第２の形態による眼鏡フレームにおいて、弾性受け部の末端部からテンプル側丁番こまを横切ってテンプルの基端部へと延在し、弾性アームおよび鎧部の末端部が差し込まれる開口部をさらに具えることができる。
【００１６】
弾性受け部をテンプルの末端から内側にほぼ１８０度折り返した状態でテンプルと一体的に形成することができる。
【００１７】
本発明の第１および第２の形態による眼鏡フレームにおいて、弾性受け部よりも弾性アームの弾性変形量の方を大きく設定することが有効である。
【発明の効果】
【００１８】
本発明の第１の形態の眼鏡フレームによると、テンプルから分岐して末端にテンプル側丁番こまを設けた弾性アームと、丁番ねじを介してテンプル側丁番こまが回動自在に連結されるフロント側丁番こまを末端部に設けた鎧部に沿って延在し、基端部が鎧部に連結されると共にテンプルを開いた時にこのテンプルの基端が当接する末端部を有する弾性受け部とを具え、弾性アームはその末端とテンプルとの間隔が拡がるように弾性変形可能であり、弾性受け部はその末端部と鎧部との間隔が拡がるように弾性変形可能であるので、従来のばね丁番のようなコイルばねや高精度な加工を必要とするばねケースを用いずとも、弾性アームおよび弾性受け部の２つの部材の弾性変形に伴う反力を眼鏡着用時の保持力して利用することができ、眼鏡のずり落ちをなくして良好な掛け心地を得ることができる。
【００１９】
弾性受け部の末端部からフロント側丁番こまを横切って鎧部の基端側へと延在し、弾性アームおよびテンプルの基端部が差し込まれる開口部を形成した場合、テンプルの基端部や弾性アームを細身かつコンパクトに形成することが可能であり、眼鏡フレームに特異なデザイン的効果を与えることができる。
【００２０】
弾性受け部を鎧部の末端から内側にほぼ１８０度折り返した状態で鎧部と一体的に形成した場合、弾性受け部を極めて容易に成形することができ、眼鏡フレームの製造コストの上昇を抑えることが可能となる。
【００２１】
本発明の第２の形態の眼鏡フレームによると、フロントから分岐して鎧部側に延在し、末端にフロント側丁番こまを設けた弾性アームと、丁番ねじを介してフロント側丁番こまに回動自在に連結されるテンプル側丁番こまが設けられたテンプルの基端部に沿って延在し、基端部がテンプルに連結されると共にこのテンプルを開いた時に鎧部の末端が当接する末端部を有する弾性受け部とを具え、弾性アームはその末端と鎧部との間隔が拡がるように弾性変形可能であり、弾性受け部はその末端部とテンプルとの間隔が拡がるように弾性変形可能であるので、従来のばね丁番のようなコイルばねや高精度な加工を必要とするばねケースを用いずとも、弾性アームおよび弾性受け部の２つの部材の弾性変形に伴う反力を眼鏡着用時の保持力して利用することができ、眼鏡のずり落ちをなくして良好な掛け心地を得ることができる。
【００２２】
弾性受け部の末端部からテンプル側丁番こまを横切ってテンプルの基端部へと延在し、弾性アームおよび鎧部の末端部が差し込まれる開口部を形成した場合、鎧部の基端部や弾性アームを細身かつコンパクトに形成することが可能であり、眼鏡フレームに特異なデザイン的効果を与えることができる。
【００２３】
弾性受け部をテンプルの末端から内側にほぼ１８０度折り返した状態でテンプルと一体的に形成した場合、弾性受け部を極めて容易に成形することができ、眼鏡フレームの製造コストの上昇を抑えることが可能となる。
【発明を実施するための最良の形態】
【００２４】
本発明による眼鏡フレームの実施形態について、図１〜図７を参照しながら詳細に説明するが、本発明はこのような実施形態のみに限らず、特許請求の範囲に記載された本発明の概念に包含されるあらゆる変更や修正が可能であり、従って本発明の精神に帰属する他の任意の技術にも当然応用することができる。
【００２５】
本発明による眼鏡フレームの一実施形態の外観を図１に示し、その平面形状を図２に示し、その丁番の部分の外観を分解状態で図３に示す。すなわち、本実施形態における眼鏡フレームは、いわゆるふちなし枠タイプのワンポイントメタルフレームに分類されるものであるが、フロント側丁番こまが設けられる鎧（すなわち智）部およびテンプル側丁番こまが設けられるテンプルの基端部が高機械的強度で弾性率の高い材料（特に金属製のばね材料が好ましい）であれば、それ以外の眼鏡フレームの部分の構成はどのようなタイプのものでも構わない。
【００２６】
左右両端部が鎧部１１となったほぼ直線状をなすブローバー１２の中央部、つまりブリッジ相当部分には、左右一対の雌ねじ筒１３が相隔てて接合されており、これら雌ねじ筒１３にそれぞれねじ込まれる左右一対の固定ねじ１４により、左右一対のレンズ止め１５を突設したブレース板１６が雌ねじ筒１３を介してブローバー１２の中央部に固定されている。周知の方法によって左右の眼鏡レンズＬがそれぞれ固定される左右のレンズ止め１５には、パッド足１７の基端部がそれぞれ接合され、これらパッド足１７の末端にはパッド１８がそれぞれ取り付けられている。
【００２７】
末端部にモダン１９が装着されたテンプル２０の基端側には、このテンプル２０から分岐し、テンプル２０の基端部に沿って延在する弾性アーム２１が形成されており、この弾性アーム２１の末端とテンプル２０との間隔が拡がるように、弾性アーム２１はテンプル２０に対して弾性変形可能である。この弾性アーム２１の末端には軸穴２２を有するテンプル側丁番こま２３が形成されている。本実施形態におけるテンプル２０の基端部は、テンプル側丁番こま２３を囲むように内側に湾曲した状態となっている。
【００２８】
一方、末端部に上下一対のフロント側丁番こま２４ａ，２４ｂが接合された鎧部１１の末端部には、この鎧部１１の末端部に沿って延在する弾性受け部２５が一体的に形成されており、この弾性受け部２５は鎧部１１の末端部から所定の曲率半径にて内側にほぼ１８０度折り返された状態となっている。一対のフロント側丁番こま２４ａ，２４ｂよりも鎧部１１の基端側から弾性受け部２５の末端２５ａに至る開口部２６が一対のフロント側丁番こま２４ａ，２４ｂの間を通るように形成されているため、鎧部１１はこの開口部２６の存在によってその途中から上下２つの部分に分かれた状態となり、この上下２つの部分がそのまま弾性受け部２５に続き、弾性受け部２５の末端２５ａが鎧部１１との対向方向に沿って弾性変形し易くなっている。
【００２９】
鎧部１１に位置する開口部２６には、テンプル２０の基端部が挿通可能であり、また鎧部１１の末端とこれに続く弾性受け部２５との接続部分である折り返し部分２７に位置する開口部２６には、弾性アーム２１が挿通可能である。弾性アーム２１の末端のテンプル側丁番こま２３を鎧部１１の一対のフロント側丁番こま２４ａ，２４ｂの間に整列させて差し込んだ状態において、丁番ねじ２８が上部フロント側丁番こま２４ａに形成された軸穴２９からテンプル側丁番こま２３の軸穴２２を介して下部フロント側丁番こま２４ｂの雌ねじ穴３０にねじ込まれ、ブローバー１２の鎧部１１に対してテンプル２０が回動可能に連結された状態となる。
【００３０】
従って、テンプル２０を閉じた状態においては、テンプル２０の屈曲した基端２０ａが鎧部１１の末端とこれに続く弾性受け部２５との折り返し部分２７の開口部２６に収容された状態となり、鎧部１１から外側にこれが突出しないように配慮している。また、テンプル２０を開いた状態においては、その基端２０ａが弾性受け部２５の末端２５ａに当接してその開位置が規定されるようになっている。
【００３１】
テンプル２０を強く開いた状態における一方の丁番の部分の平面形状を拡大して図４に示す。この図４から明らかなように、弾性アーム２１の末端、つまりテンプル側丁番こま２３がテンプル２０の基端部から遠ざかるような弾性アーム２１の弾性変形および弾性受け部２５の末端２５ａが鎧部１１から遠ざかるような弾性受け部２５の弾性変形を伴い、テンプル２０をさらに開いた状態にすることができる。この場合、弾性受け部２５よりも弾性アーム２１の弾性変形量の方が多くなるように、弾性アーム２１および弾性受け部２５の剛性を適切に設定することが望ましい。
【００３２】
このように、弾性アーム２１および弾性受け部２５にそれぞれ弾性変形が与えられるように、テンプル２０を開いた状態で眼鏡Ｇを着用することにより、これらの弾性変形に伴う反力が適度な保持力となり、眼鏡Ｇのずり落ちをなくして良好な掛け心地を得ることができる。
【００３３】
開口部２６を鎧部１１および弾性受け部２５に開口部２６を形成することは必須ではなく、本実施形態では上下一対の丁番こまを鎧部１１に設けたことに伴うデザイン上の要請によるものである。例えば、上下一対のテンプル側丁番こまをテンプル２０の基端部に設けた場合、開口部２６を鎧部１１および弾性受け部２５に形成する必要性は全くなくなる。また、本実施形態では弾性アーム２１をテンプル２０に設けると共に弾性受け部２５を鎧部１１に設けるようにしたが、これらの関係を逆に設定することも当然可能である。
【００３４】
このような本発明による眼鏡フレームの別な実施形態の平面形状を図５に示し、その丁番の部分の外観を分解状態で図６に示し、テンプルを強く開いた状態における丁番の部分の平面形状を図７に拡大して示すが、先の実施形態と同一機能の要素にはこれと同一符号を記すに止め、重複する説明は省略するものとする。すなわち、鎧部１１に続くブローバー１２の末端部の内側には、このブローバー１２から分岐し、鎧部１１に沿って延在する弾性アーム２１が形成されており、この弾性アーム２１の末端と鎧部１１の末端部との間隔が拡がるように、弾性アーム２１は鎧部１１に対して弾性変形可能である。この弾性アーム２１の末端には軸穴２２を有するフロント側丁番こま２４が形成されている。本実施形態における鎧部１１の末端部は、フロント側丁番こま２４を囲むように内側に湾曲した状態となっている。
【００３５】
上述したように、本実施形態では弾性アーム２１をブローバー１２の末端部から分岐させるようにしたが、眼鏡フレームの形式によっては、鎧部１１の基端部や眼鏡レンズＬを保持するリムの一部から弾性アーム２１を分岐させるようにしても何ら問題はない。
【００３６】
一方、上下一対のテンプル側丁番こま２３ａ，２３ｂが接合されたテンプル２０の基端部には、このテンプル２０の基端部に沿って延在する弾性受け部２５が一体的に形成されており、この弾性受け部２５はテンプル２０の基端部から所定の曲率半径にて内側にほぼ１８０度折り返された状態となっている。一対のテンプル側丁番こま２３ａ，２３ｂよりもテンプル２０の末端側から弾性受け部２５の末端２５ａに至る開口部２６が一対のテンプル側丁番こま２３ａ，２３ｂの間を通るように形成されているため、テンプル２０の基端部側は、この開口部２６の存在によって上下２つの部分に分かれた状態となり、この上下２つの部分がそのまま弾性受け部２５に続き、弾性受け部２５の末端２５ａがテンプル２０との対向方向に沿って弾性変形し易くなっている。
【００３７】
テンプル２０の基端部に位置する開口部２６には、鎧部１１の末端部が挿通可能であり、またテンプル２０の基端とこれに続く弾性受け部２５との接続部分である折り返し部分２７に位置する開口部２６には、弾性アーム２１が挿通可能である。弾性アーム２１の末端のフロント側丁番こま２４をテンプル２０の一対のテンプル側丁番こま２３ａ，２３ｂの間に整列させて差し込んだ状態において、丁番ねじ２８が上部テンプル側丁番こま２３ａに形成された軸穴２９からフロント側丁番こま２４の軸穴２２を介して下部テンプル側丁番こま２３ｂの雌ねじ穴３０にねじ込まれ、ブローバー１２の鎧部１１に対してテンプル２０が回動可能に連結された状態となる。
【００３８】
従って、テンプル２０を閉じた状態においては、テンプル２０の基端とこれに続く弾性受け部２５との接続部分である折り返し部分２７が鎧部１１の屈曲した末端部と重なり合った状態となり、鎧部１１から外側に突起物がないように配慮している。また、テンプル２０を開いた状態においては、弾性受け部２５の末端２５ａが鎧部１１の末端１１ａに当接してその開位置が規定されるようになっている。
【００３９】
この状態からテンプル２０を強く開くと、弾性アーム２１の末端、つまりフロント側丁番こま２４が鎧部１１から遠ざかるような弾性アーム２１の弾性変形および弾性受け部２５の末端２５ａがテンプル２０の基端部から遠ざかるような弾性受け部２５の弾性変形に伴う反力がテンプル２０に作用する。この場合、弾性受け部２５よりも弾性アーム２１の弾性変形量の方が多くなるように、弾性アーム２１および弾性受け部２５の剛性を適切に設定することが望ましい。
【００４０】
本実施形態においても、弾性アーム２１および弾性受け部２５にそれぞれ弾性変形が与えられるように、テンプル２０を開いた状態で眼鏡Ｇを着用することにより、これらの弾性変形に伴う反力が適度な保持力となり、眼鏡Ｇのずり落ちをなくして良好な掛け心地を得ることができる。
【図面の簡単な説明】
【００４１】
【図１】本発明による眼鏡フレームの一実施形態の外観を表す立体投影図である。
【図２】図１に示した実施形態の平面図である。
【図３】図１に示した実施形態における丁番の部分の外観を分解状態で表す立体投影図である。
【図４】図２における一方の丁番の部分を拡大した平面図であり、テンプルを強く開いた状態を示している。
【図５】本発明による眼鏡フレームの他の実施形態の平面図である。
【図６】図５に示した実施形態における丁番の部分の外観を分解状態で表す立体投影図である。
【図７】図５に示した実施形態における一方のばね丁番の部分の拡大平面図であり、テンプルを強く開いた状態を示している。
【符号の説明】
【００４２】
Ｇ  眼鏡
Ｌ  眼鏡レンズ
１１  鎧部
１１ａ  末端
１２  ブローバー
１３  雌ねじ筒
１４  固定ねじ
１５  レンズ止め
１６  ブレース板
１７  パッド足
１８  パッド
１９  モダン
２０  テンプル
２０ａ  基端
２１  弾性アーム
２２  軸穴
２３  テンプル側丁番こま
２３ａ  上部テンプル側丁番こま
２３ｂ  下部テンプル側丁番こま
２４  フロント側丁番こま
２４ａ  上部フロント側丁番こま
２４ｂ  下部フロント側丁番こま
２５  弾性受け部
２５ａ  末端
２６  開口部
２７  折り返し部分
２８  丁番ねじ
２９  軸穴
３０  雌ねじ穴
【図１】
2005250064.tif 000003
【図２】
2005250064.tif 000004
【図３】
2005250064.tif 000005
【図４】
2005250064.tif 000006
【図５】
2005250064.tif 000007
【図６】
2005250064.tif 000008
【図７】
2005250064.tif 000009